(57)【要約】【課題】マイグレーション発生時に不安全状態とならない安全装置を有する洗濯機を提供する。【解決手段】本発明の洗濯機は、洗濯機本体７に配置された洗濯機の操作・表示・制御を行う制御ユニット１３を備え、制御ユニット１３は、内部にプリント配線板１を有し、プリント配線板１上の二つのランド２、３間がショートすると不安全状態になったと判定して洗濯兼脱水槽１１の回転を停止する洗濯機において、二つのランド２、３間に洗濯機の動作を停止させるエラー検知回路のパターン４を設け、エラー検知回路のパターン４に銅箔を露出させた銅箔露出部５を設けたことにより、プリント配線板１上でマイグレーションが発生しランド間がショートしても、洗濯機の動作が不安全状態になる前に洗濯機の動作は停止するため、不安全状態になることを防止することができる。【選択図】図２
2016163602.tif 000002
【特許請求の範囲】
【請求項１】
洗濯兼脱水槽を回転自在に内設した洗濯機本体に配置され、洗濯機の操作・表示・制御を行う制御手段を備え、前記制御手段は、内部にプリント配線板を有し、前記プリント配線板上の二つのランド間がショートすると前記洗濯兼脱水槽の回転を停止する洗濯機において、前記二つのランド間に洗濯機の動作を停止させるエラー検知回路のパターンを設け、前記エラー検知回路のパターンに銅箔を露出させた銅箔露出部を設けたことを特徴とした洗濯機。
【請求項２】
前記銅箔露出部は、前記二つのランドの中心部分を結ぶ仮想線に対して直交する方向に形成したことを特徴とする請求項１に記載の洗濯機。
【請求項３】
前記銅箔露出部は、前記二つのランド間の略中央位置に形成したことを特徴とする請求項１または請求項２に記載の洗濯機。
【請求項４】
前記銅箔露出部は、前記二つのランドのうちの大きいランドと略同じ幅寸法、あるいは大きいランドより大きい幅寸法に形成したことを特徴とする請求項１から３のいずれか１項に記載の洗濯機。
【発明の詳細な説明】
【技術分野】
【０００１】
本発明は脱水時に洗濯槽蓋を開いた時、またはアンバランス異常時に動作を停止させ、安全性を確保する洗濯機に関するものである。
【背景技術】
【０００２】
近年、電化製品の安全対策が進む中で、洗濯機においてもより一層安全性を向上することが求められている。特に、脱水時等には高速で回転する洗濯兼脱水槽を備えた洗濯機は、より高い安全性が求められている。さらに、多量の水を扱い、結露しやすい多湿な環境にて設置、あるいは使用される洗濯機においては、内設されたプリント配線板上でのショートによる誤検知によって発生する不安全状態に対する対策が必要とされている。
【０００３】
従来、この種の洗濯機の安全装置である蓋検知装置の構成は、図３に示すように構成されている（例えば、特許文献１参照）。以下、その構成について説明する。
【０００４】
図３に示すように、洗濯機本体７の上部に配置されたプリント配線板１に実装され洗濯槽蓋６に装着された磁石９により応答する磁気センサ１０と、洗濯槽蓋６の閉時にオンしかつ洗濯兼脱水槽１１の異常振動時にオフする蓋検知スイッチ８とを備えている。洗い、すすぎ、脱水の一連の行程を制御する制御手段は、磁気センサ１０、または蓋検知スイッチ８のいずれか一方がオフしたときに、洗濯槽蓋６が開いていると判定して洗濯兼脱水槽１１の回転を停止するようにしている。
【０００５】
上記プリント配線板１は、蓋検知スイッチ８の形状寸法や回路パターンの配置等の制約によって、図４に示すように、蓋検知スイッチ８からの入力信号のランド３とグランドのランド２が隣り合わざるを得ない場合が多い。
【先行技術文献】
【特許文献】
【０００６】
【特許文献１】特開平７−１２４３８０号公報
【発明の概要】
【発明が解決しようとする課題】
【０００７】
しかしながら、このような従来の洗濯機の安全装置である蓋検知装置の構成では、プリント配線板１上でマイグレーションが発生した場合、図４に示すように蓋検知スイッチ８からの入力信号のランド３とグランドのランド２が隣り合っているためショートする可能性がある。この二つのランドがショートすると、洗濯槽蓋６が開いている状態でも制御手段は、洗濯槽蓋６が閉じていると誤検知し、洗濯兼脱水槽１１が回転する。このように、蓋検知スイッチ８のみでは十分な安全を確保できず、二重安全を担保するためにはプリント配線板１に実装される磁気センサ１０と、洗濯槽蓋６に装着される磁石９を必要とし、十分な安全を確保するために高価になるという課題があった。
【０００８】
本発明は、前記従来の課題を解決するもので、洗濯槽蓋の開閉、洗濯兼脱水槽の異常振動を検知する蓋検知スイッチのみで安全を確保する洗濯機を提供することを目的としている。
【課題を解決するための手段】
【０００９】
前記従来の課題を解決するために、本発明の洗濯機は、洗濯兼脱水槽を回転自在に内設した洗濯機本体に配置され、洗濯機の操作・表示・制御を行う制御手段を備え、前記制御
手段は、内部にプリント配線板を有し、前記プリント配線板上の二つのランド間がショートすると前記洗濯兼脱水槽の回転を停止する洗濯機の安全装置において、前記二つのランド間に洗濯機の動作を停止させるエラー検知回路のパターンを設け、前記エラー検知回路のパターンに銅箔を露出させた銅箔露出部を設けたことを特徴とした洗濯機である。
【００１０】
これにより、プリント配線板上でマイグレーションが発生しても、前記二つのランド間がショートする前にエラー検知することで洗濯機の動作が停止するため、不安全状態になることを防止できる。
【発明の効果】
【００１１】
本発明の洗濯機の安全装置は、洗濯機の動作が不安全状態になる前に動作を停止できるため、蓋検知スイッチのみで安全を担保でき、簡単・安価に安全性を向上することができる。
【図面の簡単な説明】
【００１２】
【図１】本発明の実施の形態１の洗濯機の構成を示す断面図
【図２】同洗濯機の安全装置のプリント配線板のパターン面の一例を示す要部拡大図
【図３】従来の洗濯機の構成を示す断面図
【図４】同洗濯機の安全装置のプリント配線板のパターン面の一例を示す要部拡大図
【発明を実施するための形態】
【００１３】
第１の発明は、洗濯兼脱水槽を回転自在に内設した洗濯機本体に配置され、洗濯機の操作・表示・制御を行う制御手段を備え、前記制御手段は、内部にプリント配線板を有し、前記プリント配線板上の二つのランド間がショートすると前記洗濯兼脱水槽の回転を停止する洗濯機において、前記二つのランド間に洗濯機の動作を停止させるエラー検知回路のパターンを設け、前記エラー検知回路のパターンに銅箔を露出させた銅箔露出部を設けた構成にしたものである。
【００１４】
この構成により、プリント配線板上でマイグレーションが発生したときに、前記二つのランド間がショートする前に、前記二つのランド間に設けたエラー検知回路のパターンの露出させた銅箔部分と、前記二つのランド２、３のどちらか一方が先にショートするため、エラーを発生し、前記二つのランド２、３の一方のショートを検知することで洗濯機の動作を停止することができ、洗濯槽蓋が開いている時に閉じていると制御手段が誤検知して不安全状態になることを回避することができる。
【００１５】
また、蓋検知スイッチのみで上記の安全性を担保でき、簡単・安価に安全性を向上させることができる。
【００１６】
第２の発明は、特に、第１の発明において、前記銅箔露出部は、前記二つのランドの中心部分を結ぶ仮想線に対して直交する方向に形成したことにより、必要以上に早いタイミング、あるいは時期に、銅箔露出部５と、グランドのランド２および入力信号のランド３のどちらか一方がショートして、容易に洗濯機の安全装置が作動するのを防止することができる。
【００１７】
第３の発明は、特に、第１または第２の発明において、前記銅箔露出部は、前記二つのランド間の略中央位置に形成したことにより、必要以上に早いタイミング、あるいは時期に、銅箔露出部５と、グランドのランド２および入力信号のランド３のどちらか一方がショートして、容易に洗濯機の安全装置が作動するのを防止することができる。
【００１８】
第４の発明は、特に、第１から第３の発明において、前記銅箔露出部は、前記二つのラ
ンドのうちの大きいランドと略同じ幅寸法、あるいは大きいランドより大きい幅寸法に形成した等しいか、または、大きいランドの幅寸法より大きい寸法としたことにより、プリント配線板１上でマイグレーションが銅箔露出部５を回避して進行するのを防止することができるので、洗濯機の安全装置の作動をより確実なものとすることができ、安全性をより高めることができる。
【００１９】
以下、本発明の実施の形態について、図面を参照しながら説明する。なお、この実施の形態によって本発明が限定されるものではない。
【００２０】
（実施の形態１）
図１は本発明の実施の形態１における洗濯機の構成を示す断面図、図２は同洗濯機の安全装置のプリント配線板１のパターン面の一例を示す要部拡大図である。
【００２１】
図１において、洗濯機本体７の上面部にプリント配線板１を配置している。プリント配線板１には、洗濯兼脱水槽１１上部の衣類投入口１２を開閉自在に覆う洗濯槽蓋６に装着された磁石９により応答する磁気センサ１０と、洗濯槽蓋６の閉時にオンしかつ洗濯兼脱水槽１１の回転による異常振動時にはオフする蓋検知スイッチ８とを実装している。洗い、すすぎ、脱水の一連の行程を制御する制御ユニット（制御手段）１３は、磁気センサ１０、または蓋検知スイッチ８の少なくともいずれか一方がオフしたときに、洗濯槽蓋６が開いていると判定して洗濯兼脱水槽１１の回転を停止するようにしている。
【００２２】
なお、本実施の形態１の洗濯機の安全装置を備えた洗濯機の基本構成および洗濯機としての基本動作は、従来よく知られた洗濯機と同様であるので、説明は省略する。
【００２３】
図２において、プリント配線板１上の蓋検知回路部は、蓋検知スイッチ８からの入力信号のランド３、グランドのランド２の間に線状のエラー検知回路のパターン４を設けている。プリント配線板１の表面には、保護膜としてレジストが塗布されている。プリント配線板１表面から一部分だけレジストを除去し、銅箔部分を露出させた銅箔露出部５を備えた構成としている。
【００２４】
銅箔露出部５は、略円形に形成した蓋検知スイッチ８からの入力信号のランド３のほぼ中心（入力信号のランド３が略円形ではない場合はその中央部）と略円形に形成したグランドのランド２のほぼ中心（グランドのランド２が略円形ではない場合はその中央部）とを結ぶ直線に対しほぼ直交して横断するように、グランドのランド２からの距離と入力信号のランド３からの距離がほぼ等しくなる位置に線状に設けている。
【００２５】
また、銅箔露出部５の幅寸法は、グランドのランド２および入力信号のランド３の大きい方のランドの幅寸法と等しいか、大きいほうのランドより大きい寸法としている。
【００２６】
以上のように構成した洗濯機について、その動作、作用を説明する。
【００２７】
プリント配線板１上でマイグレーションが発生した際に、蓋検知スイッチ８からの入力信号のランド３とグランドのランド２の間に、洗濯機の動作を停止させるエラー検知回路のパターン４のランドがない場合には、グランドのランド２と入力信号のランド３がショートし、制御ユニット（制御手段）１３が備えるマイコンへの入力信号は常にＬｏ信号となる。マイコンにＬｏ信号が入力されると、洗濯槽蓋６が閉じていると判断されるため、洗濯槽蓋６が開いているにもかかわらず、マイコンは洗濯槽蓋６が閉じていると誤検知し、洗濯槽蓋６が開いている状態で洗濯兼脱水槽１１が回転し、不安全状態となる。
【００２８】
本実施の形態では、グランドのランド２と入力信号のランド３の間にエラー検知回路の
パターン４を設け、レジストを除去して銅箔部分を露出させた銅箔露出部５を備えたことにより、グランドのランド２と入力信号のランド３との間がショートするより先に、銅箔露出部５と、グランドのランド２と入力信号のランド３のどちらか一方がショートし、このショート状態をエラー検知回路のパターン４を通じて検知することで、エラーを検知し、洗濯機の安全装置が作動して、洗濯機の動作を停止する。
【００２９】
この後、プリント配線板１、もしくはプリント配線板１を含む制御ユニット１３を交換しない限り、エラーは出続け、制御ユニット１３を操作して洗濯機を運転することができなくなる。この結果、これ以上マイグレーションが進行することはなくなり、不安全状態になることはないので、安全性を高めることができる。
【００３０】
また、エラー検知回路のパターン４の銅箔露出部５は、略円形に形成した蓋検知スイッチ８からの入力信号のランド３のほぼ中心と略円形に形成したグランドのランド２のほぼ中心とを結ぶ直線に対しほぼ直交して横断するように設けるとともに、グランドのランド２からの距離と入力信号のランド３からの距離がほぼ等しくなる位置に線状に設けている。これによって、必要以上に早いタイミング、あるいは時期に、銅箔露出部５と、グランドのランド２および入力信号のランド３のどちらか一方がショートして、容易に洗濯機の安全装置が作動するのを防止することができる。
【００３１】
さらに、銅箔露出部５の幅寸法は、グランドのランド２および入力信号のランド３のいずれか大きい方のランドの幅寸法とほぼ等しいか、または、大きいランドの幅寸法より大きい寸法としたことにより、プリント配線板１上でマイグレーションが銅箔露出部５を回避して進行するのを防止することができるので、洗濯機の安全装置の作動をより確実なものとすることができ、安全性をより高めることができる。
【００３２】
なお、本実施の形態は、縦型洗濯機を一例にとり説明したが、縦型洗濯機に限定するものではなく、ドラム式洗濯機に採用してもよい。
【産業上の利用可能性】
【００３３】
以上のように、本発明にかかる洗濯機は、作動をより確実なものとすることができ、安全性をより高めることができるので、回転する洗濯兼脱水槽を備え、かつプリント配線板を有する洗濯機の安全装置等として有用である。
【符号の説明】
【００３４】
１  プリント配線板
２  グランドのランド
３  入力信号のランド
４  エラー検知回路のパターン
５  銅箔露出部
６  洗濯槽蓋
７  洗濯機本体
８  蓋検知スイッチ
９  磁石
１０  磁気センサ
１１  洗濯兼脱水槽
１３  制御ユニット（制御手段）
【図１】
2016163602.tif 000003
【図２】
2016163602.tif 000004
【図３】
2016163602.tif 000005
【図４】
2016163602.tif 000006